(57)【要約】【課題】特に回胴式遊技機の設定変更ボタンスイッチに適用した場合であっても、ホール側で適正に定めたボーナス出現確率を改変するような不正行為を有効に防止できるようにしたタクティールスイッチを提供する。【解決手段】タクティールスイッチ１1は、第２押しボタン６の自由状態で第１押しボタン５の押圧操作をロックし、第２押しボタン６の矢印Ｂ方向への押圧操作状態で第１押しボタン５を押圧操作し得るように構成されるため、クリック感を得ながら押圧操作し得るものでありながら、第２押しボタン６を押圧操作しなければ第１押しボタン５を操作できない状況を提供できる。従って、例えばスロットマシンの設定変更ボタンスイッチとして用いる場合、不正行為者による不正行為の実行を極めて有効に阻止できるようになる。【選択図】図２
2007220345.tif 000002
【特許請求の範囲】
【請求項１】
スイッチケース内に、互に絶縁状態にされた第１及び第２接点と、これら両接点上で押圧変形されて該両接点を導通状態と絶縁状態とに切り換える可動接片と、を備え、該可動接片の押圧変形時にクリック感を発してオン／オフ動作してなるタクティールスイッチにおいて、
前記スイッチケース内に、互に交差する第１及び第２方向にそれぞれ移動可能に支持された第１及び第２押しボタンを備え、
前記第１押しボタンは、前記第１方向への移動にて前記可動接片を押圧変形させて前記第１及び第２接点を導通状態と絶縁状態とに切り換え、
前記第２押しボタンは、初期位置に復帰可能に付勢力を与えられ、かつ該初期位置にて前記第１押しボタンの前記第１方向への移動を阻止する操作ロック部と、前記付勢力に抗して前記第２方向に移動したとき前記第１押しボタンの前記第１方向への移動を許容するロック解除部と、を有し、
前記第２押しボタンの自由状態にて前記第１押しボタンの押圧操作をロックし、かつ前記第２押しボタンの前記第２方向への押圧操作状態にて前記第１押しボタンを押圧操作し得るように構成した、
ことを特徴とするタクティールスイッチ。
【請求項２】
前記第１押しボタンは、前記第２押しボタンの前記操作ロック部に対向する位置に凸部を有し、
前記第２押しボタンは、前記ロック解除部により前記第１押しボタンの移動を許容した位置から前記初期位置に復帰する際に前記第１押しボタンの前記凸部を押し上げる方向に傾斜する傾斜面を前記操作ロック部に有してなる、
請求項１記載のタクティールスイッチ。
【請求項３】
前記スイッチケースは、前記第１及び第２接点を配置した第１ケース部と、該第１ケース部に装着される第２ケース部と、を有し、
前記第１ケース部は、前記第１及び第２接点にそれぞれ導通した状態で該第１ケース部外方に突出する複数の接続端子を有し、
前記第２ケース部は、前記第１ケース部がその対応する実装部に実装された状態にて該第１ケース部と該実装部との間からの前記接続端子の露出を保護するカバー部を有してなる、
請求項１又は２記載のタクティールスイッチ。
【請求項４】
前記複数の接続端子は、前記第１方向に沿うように前記第１ケース部に設けられてなる、
請求項３記載のタクティールスイッチ。
【請求項５】
前記スイッチケースは、前記第１及び第２接点を配置した第１ケース部と、該第１ケース部に互に反対の方向から装着される第２ケース部及び第３ケース部と、を有し、
前記第１ケース部は、前記第１及び第２接点にそれぞれ導通した状態で該第１ケース部外方に突出する複数の接続端子を有し、
前記第２及び第３ケース部は、前記第１ケース部がその対応する実装部に実装された状態にて該第１ケース部と該実装部との間からの前記接続端子の露出を保護するカバー部を構成してなる、
請求項１又は２記載のタクティールスイッチ。
【請求項６】
前記複数の接続端子は、前記第１方向と直交する方向に沿うように前記第１ケース部に設けられてなる、
請求項５記載のタクティールスイッチ。
【請求項７】
前記タクティールスイッチは、ボーナス出現確率を異ならせる設定変更機能を有する回胴式遊技機用の設定変更ボタンスイッチとして用いられてなる、
請求項１ないし６のいずれかに記載のタクティールスイッチ。
【発明の詳細な説明】
【技術分野】
【０００１】
本発明は、押圧操作時にクリック感が得られるタクティールスイッチに係り、特にスロットマシン等の回胴式遊技機に用いて好適なタクティールスイッチに関する。
【背景技術】
【０００２】
一般に、スイッチケースから突出する押しボタンを押し込んだ際にクリック感を発しつつオン状態になり、押しボタンを離した際にオフ状態に復帰するように構成した常開タイプのタクティールスイッチ（Tactile Switch）が知られている（例えば、特許文献１参照）。
【０００３】
上記特許文献１に記載のタクティールスイッチは、基台の凹部底面に固定接点を有し、該固定接点の上面に円形クリックバネが装着され、上記基台の底面に対して該円形クリックバネの上方に設けられた押しボタンが押圧された際、該押しボタンの作動部でクリックバネを押圧し、該押圧によりクリックバネの中央部を固定接点に接触させてオン作動させるように構成されている。そして、押しボタン及び作動部を弾性力を有するラバーで形成することにより、押しボタンの押圧時にクリックバネ等に過度の衝撃が作用することを軽減し、クリックバネ等の寿命を延ばすようにしている。
【０００４】
【特許文献１】特開２００１−８４８６５号公報
【発明の開示】
【発明が解決しようとする課題】
【０００５】
しかし、上記特許文献１に記載されるタクティールスイッチにあっては、操作時にクリック感が得られ、押圧による過度の衝撃を吸収することはできるものの、押しボタンの押圧操作で直接的にスイッチをオン／オフするだけの構成のため、例えば、スロットマシン等の回胴式遊技機の設定変更ボタンスイッチに適用する場合には、不正行為者（所謂ゴト師）による不正行為（所謂ゴト行為）によって比較的容易に設定変更される等の虞がある。
【０００６】
一般にスロットマシンは、複数種の図柄を円周方向に複数有する左右方向３列の回胴リールを備え、該回胴リールをスタートレバーの操作で回転させた後、３個の停止ボタンをそれぞれ押圧操作することで、各停止ボタンに対応する回胴リールが順次停止し、各回胴リールに備えた所定の図柄が一致した際にボーナスが得られ、多数のメダルを取得できるように構成されている。近年、このようなスロットマシンを設置した遊技店（ホール）において、設定変更ボタンスイッチの操作でボーナス出現確率が適正に設定されたスロットマシンに対し、針金等の治具（ジグ）を用いる等によって上記設定変更ボタンスイッチを不正に操作し、ホール側で定めたボーナス出現確率とは異なる高いボーナス出現確率に改変した状態で、善良な遊技者を装い不正にメダルを取得する不正行為者が横行している。このような状況下、上述したようなタクティールスイッチを設定変更ボタンスイッチとして用いる場合、不正行為を効果的に防止することは困難である。
【０００７】
そこで本発明は、特に回胴式遊技機の設定変更ボタンスイッチに適用した場合であっても、ホール側で適正に定めたボーナス出現確率を改変するような不正行為を有効に防止できるように構成し、もって上述した課題を解決したタクティールスイッチを提供することを目的とするものである。
【課題を解決するための手段】
【０００８】
請求項１に係る本発明は（例えば図１ないし図５参照）、スイッチケース（Ｃ1，Ｃ2）内に、互に絶縁状態にされた第１（１３，１４）及び第２接点（１５）と、これら両接点（１３，１４，１５）上で押圧変形されて該両接点を導通状態と絶縁状態とに切り換える可動接片（３）と、を備え、該可動接片（３）の押圧変形時にクリック感を発してオン／オフ動作してなるタクティールスイッチ（１1，１2）において、
前記スイッチケース（Ｃ1，Ｃ2）内に、互に交差する第１（矢印Ａ方向）及び第２方向（矢印Ｂ方向）にそれぞれ移動可能に支持された第１及び第２押しボタン（５，６）を備え、
前記第１押しボタン（５）は、前記第１方向（矢印Ａ方向）への移動にて前記可動接片（３）を押圧変形させて前記第１及び第２接点（１３，１４，１５）を導通状態と絶縁状態とに切り換え、
前記第２押しボタン（６）は、初期位置（図１に示す位置）に復帰可能に付勢力を与えられ、かつ該初期位置にて前記第１押しボタン（５）の前記第１方向（矢印Ａ方向）への移動を阻止する操作ロック部（１７ａ，１９ａ）と、前記付勢力に抗して前記第２方向（矢印Ｂ方向）に移動したとき前記第１押しボタン（５）の前記第１方向（矢印Ａ方向）への移動を許容するロック解除部（１７ｂ，１９ｂ）と、を有し、
前記第２押しボタン（６）の自由状態にて前記第１押しボタン（５）の押圧操作をロックし、かつ前記第２押しボタン（６）の前記第２方向（矢印Ｂ方向）への押圧操作状態にて前記第１押しボタン（５）を押圧操作し得るように構成した、
ことを特徴とするタクティールスイッチ（１1，１2）にある。
【０００９】
請求項２に係る本発明は（例えば図１〜図３及び図５参照）、前記第１押しボタン（５）が、前記第２押しボタン（６）の前記操作ロック部（１７ａ，１９ａ）に対向する位置に凸部（２７ａ，２７ｂ）を有し、
前記第２押しボタン（６）は、前記ロック解除部（１７ｂ，１９ｂ）により前記第１押しボタン（５）の移動を許容した位置から前記初期位置（図１に示す位置）に復帰する際に前記第１押しボタン（５）の前記凸部（２７ａ，２７ｂ）を押し上げる方向に傾斜する傾斜面（１７ｃ，１９ｃ）を前記操作ロック部（１７ａ，１９ａ）に有してなる、
請求項１記載のタクティールスイッチ（１1，１2）にある。
【００１０】
請求項３に係る本発明は（例えば図１ないし図３参照）、前記スイッチケースが、前記第１（１３，１４）及び第２接点（１５）を配置した第１ケース部（２1）と、該第１ケース部（２1）に装着される第２ケース部（７）と、を有し、
前記第１ケース部（２1）は、前記第１（１３，１４）及び第２接点（１５）にそれぞれ導通した状態で該第１ケース部外方に突出する複数の接続端子（１１ａ〜１１ｄ）を有し、
前記第２ケース部（７）は、前記第１ケース部（２1）がその対応する実装部（１８）に実装された状態にて該第１ケース部（２1）と該実装部（１８）との間からの前記接続端子（１１ａ〜１１ｄ）の露出を保護するカバー部（３０）を有してなる、
請求項１又は２記載のタクティールスイッチ（１1）にある。
【００１１】
請求項４に係る本発明は（例えば図１ないし図３参照）、前記複数の接続端子（１１ａ，１１ｂ，１１ｃ，１１ｄ）が、前記第１方向（矢印Ａ方向）に沿うように前記第１ケース部（２1）に設けられてなる、
請求項３記載のタクティールスイッチ（１1）にある。
【００１２】
請求項５に係る本発明は（例えば図４及び図５参照）、前記スイッチケースが、前記第１（１３，１４）及び第２接点（１５）を配置した第１ケース部（２2）と、該第１ケース部（２2）に互に反対の方向から装着される第２ケース部（７）及び第３ケース部（３３）と、を有し、
前記第１ケース部（２2）は、前記第１（１３，１４）及び第２接点（１５）にそれぞれ導通した状態で該第１ケース部外方に突出する複数の接続端子（３１ａ〜３１ｄ）を有し、
前記第２及び第３ケース部（７，３３）は、前記第１ケース部（２2）がその対応する実装部（１８）に実装された状態にて該第１ケース部（２2）と該実装部（１８）との間からの前記接続端子（３１ａ〜３１ｄ）の露出を保護するカバー部を構成してなる、
請求項１又は２記載のタクティールスイッチ（１2）にある。
【００１３】
請求項６に係る本発明は（例えば図４及び図５参照）、前記複数の接続端子（３１ａ，３１ｂ，３１ｃ，３１ｄ）が、前記第１方向（矢印Ａ方向）と直交する方向（例えば矢印Ｄ方向）に沿うように前記第１ケース部（２2）に設けられてなる、
請求項５記載のタクティールスイッチ（１2）にある。
【００１４】
請求項７に係る本発明は（例えば図６参照）、前記タクティールスイッチ（１1，１2）が、ボーナス出現確率を異ならせる設定変更機能を有する回胴式遊技機（４０）用の設定変更ボタンスイッチとして用いられてなる、
請求項１ないし６のいずれかに記載のタクティールスイッチ（１1，１2）にある。
【００１５】
なお、上記カッコ内の符号は、図面と対照するためのものであるが、これは、発明の理解を容易にするための便宜的なものであり、特許請求の範囲の記載に何等影響を及ぼすものではない。
【発明の効果】
【００１６】
請求項１に係る本発明によると、第２押しボタンの自由状態にて第１押しボタンの押圧操作をロックし、かつ第２押しボタンの第２方向への押圧操作状態にて第１押しボタンを押圧操作し得るように構成したので、クリック感を得ながら押圧操作し得るタクティールスイッチでありながら、第２押しボタンを押圧操作してからでなければ第１押しボタンを操作することができない状況を提供することができる。このため、例えば、本発明のタクティールスイッチを設定変更ボタンスイッチとして用いる場合、不正行為者が針金等の治具を用いる等によって設定変更ボタンスイッチを不正に操作しようとしても、第２押しボタンを押圧操作した状態を維持しつつ、これとは操作方向の異なる第１押しボタンを押圧操作しなければならず、従って、不正行為の実行を極めて有効に阻止することが可能になる。
【００１７】
請求項２に係る本発明によると、操作ロック部に傾斜面を設けた簡単な構成により、第２押しボタンを第２方向に操作して第１押しボタンを押圧操作した後に第２押しボタンから手を離して開放するだけで、押し潰された可動接片が復元する際の第１押しボタンに対する付勢力の有無に拘わらず、該第１押しボタンを操作前の状態に復帰させ得るスイッチ構成を実現できる。
【００１８】
請求項３に係る本発明によると、第１ケース部が、第１及び第２接点にそれぞれ導通した状態で該第１ケース部外方に突出する複数の接続端子を有し、第２ケース部が、第１ケース部がその対応する実装部に実装された状態にて該第１ケース部と該実装部との間からの接続端子の露出を保護するカバー部を有するので、接続端子がスイッチケースから外方に露出するような場合に比して、金属板等を用いて短絡障害（ショート）を発生させるような不正行為を確実に防止することができる。
【００１９】
請求項４に係る本発明によると、複数の接続端子が第１方向に沿うように第１ケース部に設けられるので、接続端子をその対応する実装部に実装した状態で、第１押しボタンの押圧操作を安定して行うことができるようになる。
【００２０】
請求項５に係る本発明によると、第１ケース部が、第１及び第２接点にそれぞれ導通した状態で該第１ケース部外方に突出する複数の接続端子を有し、第２及び第３ケース部が、第１ケース部がその対応する実装部に実装された状態にて該第１ケース部と該実装部との間からの接続端子の露出を保護するカバー部を構成するので、接続端子がスイッチケースから外方に露出するような場合に比して、金属板等を用いて短絡障害（ショート）を発生させるような不正行為を確実に防止することができる。
【００２１】
請求項６に係る本発明によると、複数の接続端子が第１方向と直交する方向に沿うように第１ケース部に設けられるので、実装部の状況に応じて直立状態に実装できる構造を得ることができる。
【００２２】
請求項７に係る本発明によると、タクティールスイッチが、ボーナス出現確率の設定変更機能を有する回胴式遊技機用の設定変更ボタンスイッチとして用いられるので、第２押しボタンを押し込みつつ第１押しボタンを押圧操作するという段階的操作を実行しなければ設定変更できない本タクティールスイッチにあっては、第１方向と第２方向という異なる方向に力を段階的に作用させる操作に起因して、針金等の治具を用いて行うような不正な遠隔操作が極めて困難になる。従って、不正発覚を恐れながら手早く作業を行いたい不正行為者にとっての不正行為を有効に抑止することができる。一方、遊技店（ホール）の係員が回胴式遊技機の前扉を正規の状態に開放して設定変更する場合には、片手の親指で第２押しボタンを押し込みつつ第１押しボタンを人差し指で押し込む等により、速やかに設定変更操作することができる。また、従来構造のタクティールスイッチを設定変更ボタンスイッチに適用する場合には、必要に応じてプラスチック等からなる保護カバーを設け該保護カバーをいちいち開けなければ設定変更を行うことができなかったが、本発明のタクティールスイッチによれば、そのような保護カバーの設置を不要にすることが可能であり、従って、遊技店係員による設定変更の操作をより迅速化させることができる。
【発明を実施するための最良の形態】
【００２３】
以下、本発明の実施の形態について図面を参照して説明する。なお、図１は本発明に係る実施形態におけるタクティールスイッチの初期状態を示す側面断面図、図２は本実施形態におけるタクティールスイッチの操作状態を示す側面断面図、図３はタクティールスイッチの全体構成を示す分解斜視図、図４はタクティールスイッチの変形例を示す全体斜視図、図５は該変形例の全体構成を示す分解斜視図、図６は本実施形態及び変形例のタクティールスイッチを設定変更ボタンスイッチとして用いたスロットマシンを前扉開放状態で示す正面図である。
【００２４】
図３に示すように、本実施の形態におけるタクティールスイッチ１1は、第１ケース部２1と該第１ケース部２1に装着される第２ケース部７とからなるスイッチケースＣ1を備えており、該スイッチケースＣ1内には、可動接片３及び板バネ４と、互に交差する矢印Ａ方向（第１方向）及び矢印Ｂ方向（第２方向）にそれぞれ移動可能に支持された第１押しボタン５及び第２押しボタン６とが収容されている。該第１押しボタン５は、矢印Ａ方向への移動にて可動接片３を押圧変形させて固定接点（第１接点）１３，１４及びコモン接点（第２接点）１５を導通状態と絶縁状態とに切り換えるように構成される。また、第２押しボタン６は、初期位置（図１に示す位置）に復帰可能となるように板バネ４によって付勢力を付与され、かつ該初期位置にて第１押しボタン５の矢印Ａ方向への移動を阻止する操作ロック部１７ａ，１９ａと、上記付勢力に抗して矢印Ｂ方向に移動したとき第１押しボタン５の矢印Ａ方向への移動を許容するロック解除部１７ｂ，１９ｂと、を有している。
【００２５】
すなわち、上記第１ケース部２1は、４つの側面９ａ，９ｂ，９ｃ，９ｄと底面９ｅとで囲まれた収容部２ａを有する略々矩形筒体状に構成されており、底面９ｅの中央部分の台座部１０に形成された円形凹部１０ａに、コモン接点１５と、該コモン接点１５を挟んで両側に位置する固定接点１３，１４と、を露出して備えている。
【００２６】
円形凹部１０ａには、ドーム状で平面視円形状の可動接片３が、外周縁部を固定接点１３，１４に接触させ、かつ中央の中心孔３ａの部分を浮かせた状態で収容されている。この可動接片３は、導電性と共に弾性（バネ性）を有する板金をドーム状に打ち抜き加工することで作製されたものであり、互に絶縁状態の固定接点１３，１４及びコモン接点１５の上部で第１押しボタン５の押圧操作によって押圧変形された際に固定接点１３，１４及びコモン接点１５を導通状態とし、第１押しボタン５が解放されてドーム状に復帰した際に絶縁状態に戻す。
【００２７】
可動接片３の頂点部（中心部）に形成された上記中心孔３ａは、後述する第１押しボタン５の凸部２６ａ（図１参照）を位置決めすると共に塵埃の集積を回避するために形成されている。このような可動接片３は、第１押しボタン５によって押下された際、頂点部が下向きに変形しつつ思案点を通過するとき、急峻に反転してクリック感を発生する。また可動接片３は、解放された自由状態では、そのバネ性（弾性）によって形状を急峻にドーム状に復元させてクリック感を発生すると共に、第１押しボタン５を凸部２６ａを介して押し上げて、第１押しボタン５の外周の規制部２５を、第２ケース部７の蓋部２９内面に当接させて該第１押しボタン５を初期状態（図１に示す位置）に戻す。
【００２８】
また、側面９ｂ，９ｃの内面における側面９ｄに近接する部位には、長方形状の板バネ４の両端部を挿入・係合して該板バネ４を第１ケース部２1に支持するための縦方向の装着溝８，８が形成されている。更に側面９ａには、第２押しボタン６の押圧操作部１６を摺動自在に挿通して突出させる開口部２ｂが形成されている。上記板バネ４は、矢印Ｂ方向に移動する第２押しボタン６の凸部２１に準じて図２に示すように弾性変形すると共に、第２押しボタン６への操作力が解除された際に凸部２１を介して第２押しボタン６を矢印Ｂ方向と逆の方向に押し返して復帰させる。
【００２９】
また、側面９ａの左右に位置する側面９ｂ，９ｃには、それぞれ凹部２ｃ，２ｃが形成されており、これら凹部２ｃ，２ｃには、中央部に係合凸部１２がそれぞれ形成され、かつ凹部２ｃ，２ｃにおける該係合凸部１２の両側下部に、接続端子１１ａ，１１ｂ及び接続端子１１ｃ，１１ｄがそれぞれ設けられている。即ち、これら接続端子１１ａ〜１１ｄは、矢印Ａ方向に沿うように第１ケース部２1に設けられており、これにより、接続端子１１ａ〜１１ｄをその対応する実装部１８（図１参照）に実装した状態での第１押しボタン５の押圧操作を安定して行うことができるようになる。
【００３０】
そして、接続端子１１ａ，１１ｂは、コモン接点１５に導通した状態で第１ケース部２1の下部外方に突出形成され、接続端子１１ｃは、固定接点１４に導通した状態で第１ケース部２1の下部外方に突出形成され、接続端子１１ｄは、固定接点１３に導通した状態で第１ケース部２1の下部外方に突出形成されている。即ち、接続端子１１ａ，１１ｂは、コモン接点１５に導通した状態でモールド成型され、接続端子１１ｃは、固定接点１４に導通した状態でモールド成型され、図３における第１ケース部２1の奥側に設けられた接続端子１１ｄ（図１及び図２参照）は、固定接点１３に導通した状態でモールド成型されている。
【００３１】
第２押しボタン６は、開口部２ｂから第１ケース部２1の外方に突出する押圧操作部１６と、板バネ４に当接する凸部２１と、該凸部２１を板バネ４に弾性接触させた状態で開口部２ｂ周囲の内面に係合して押圧操作部１６の抜けを規制する規制部１６ａと、を有している。更に、第２押しボタン６は、板バネ４によって矢印Ｂ方向への移動前の初期位置（図１に示す位置）に復帰可能に付勢力を与えられ、かつ該初期位置にて第１押しボタン５の矢印Ａ方向への移動を阻止する上記操作ロック部１７ａ，１９ａと、板バネ４の付勢力に抗して矢印Ｂ方向に移動したとき第１押しボタン５の矢印Ａ方向への移動を許容する上記ロック解除部１７ｂ，１９ｂと、を有している。これら操作ロック部１７ａ，１９ａ及びロック解除部１７ｂ，１９ｂは、押圧操作部１６と凸部２１の間で矢印Ｂ方向に延びる延在部２０の一端部１７及び他端部１９にそれぞれ形成されている。操作ロック部１７ａ，１９ａには、ロック解除部１７ｂ，１９ｂにより第１押しボタン５の移動を許容した位置から上記初期位置に復帰する際に、後述の凸部２７ａ，２７ｂを押し上げる方向に傾斜（即ち、図２における矢印Ｂ方向と逆の方向に向かって下降するように傾斜）する傾斜面１７ｃ，１９ｃが形成されている。
【００３２】
第１押しボタン５は、矢印Ａ方向への移動で可動接片３を押圧変形させて固定接点１３，１４及びコモン接点１５を導通状態と絶縁状態とに切り換え得るように、スイッチケースＣ1内における延在部２０と第２ケース部７との間に配置されている。この第１押しボタン５は、下部を収容部２ａ内に挿入した状態で第２ケース部７の略々小判形状の開口部２９ａから摺動自在に突出する平面視略々小判状の押圧操作部２３と、開口部２９ａ周囲の内面に係合して押圧操作部２３の抜けを規制する規制部２５と、を有している。更に第１押しボタン５は、図１及び図２に示すように、第２押しボタン６の操作ロック部１７ａ，１９ａに対向する位置に上記凸部２７ａ，２７ｂを有すると共に、これら凸部２７ａ，２７ｂの中間（つまり、押圧操作部２３の中心）から下方に突出する押圧部２６を有している。該押圧部２６の下部中央は、下方に円錐状に突出する上記凸部２６ａとして構成される。
【００３３】
第２ケース部７は、開口部２９ａから第１押しボタン５の押圧操作部２３を突出させた状態で第１ケース部２1の上部に密接する矩形状の蓋部２９と、該蓋部２９の一端部及び他端部からそれぞれ垂下するように形成された一対のカバー部３０，３０と、を有している。これらカバー部３０，３０には、それぞれ、第１ケース部２1の凹部２ｃ，２ｃに上方から滑り移動して係合凸部１２に係合する係合穴部３０ａ，３０ａが形成されている。カバー部３０，３０は、弾性を有するように比較的薄い板状に形成されると共に、第１ケース部２1がその対応する実装部１８（図１参照）に実装された状態にて、これら第１ケース部２1と実装部１８との間からの接続端子１１ａ〜１１ｄの露出を保護するように機能する。
【００３４】
上記構成を備える本タクティールスイッチ１1は、図１及び図２に示す組立て状態にて、第２押しボタン６を初期位置から矢印Ｂ方向に移動させてロック解除部１７ｂ，１９ｂにより第１押しボタン５の矢印Ａ方向への移動を許容した状態で該第１押しボタン５を押圧操作し得るように、かつ可動接片３の押圧変形時にクリック感を発してオン／オフ動作するように構成される。
【００３５】
すなわち、本タクティールスイッチ１1は、図１の初期状態にあっては可動接片３がコモン接点１５に接触しておらず開状態（即ち、オフ状態）にあり、接続端子１１ａ，１１ｂと接続端子１１ｃ，１１ｄとを経由して電流が流れることはない。一方、タクティールスイッチ１1は、図２の操作状態にあっては、可動接片３が思案点を超えて下向きに押圧変形されて中心孔３ａ付近がコモン接点１５に急峻に接触して閉状態（即ち、オン状態）になり、接続端子１１ａ，１１ｂと接続端子１１ｃ，１１ｄとを経由して電流が流れる。この閉状態において、第２押しボタン６の押圧操作部１６に対する押圧力を解除すると、第１押しボタン５が、可動接片３の上向きに働く復元力と、板バネ４の復元力に準じて矢印Ｂ方向と逆向きに移動される第２押しボタン６の傾斜面１７ｃ，１９ｃにより凸部２７ａ，２７ｂに働く押上げ力とで、矢印Ｂ方向と逆の方向に移動させられて復帰する。
【００３６】
本実施の形態のタクティールスイッチ１1は、スイッチケースＣ1における第１ケース部２1が、固定接点１３，１４及びコモン接点１５にそれぞれ導通した状態で該第１ケース部外方に突出する接続端子１１ａ〜１１ｄを有し、第２ケース部７が、第１ケース部２1が実装部１８に実装された状態にて第１ケース部２1と実装部１８との間からの接続端子１１ａ〜１１ｄの露出を保護するカバー部３０，３０を有するので、接続端子がスイッチケースから外方に露出するような場合に比して、金属板等を用いて短絡障害（ショート）を発生させるような不正行為を確実に回避することができる。
【００３７】
ついで、図４及び図５に沿って、横向き形状にしたタクティールスイッチの変形例について説明するが、この変形例は、図１ないし図３に示したタクティールスイッチ１1に比し、接続端子の向きを横向きにすると共にその構成に必要な部位を変更して、図４及び図５の矢印Ａ方向と直交する方向（即ち、図４の矢印Ｄ方向）に沿うように接続端子３１ａ〜３１ｄを設けた点等が異なるだけで、他の部分は略々同一なので、共通部分には同一符号を付してその説明を省略する。即ち、図５においては、操作ロック部１７ａ、ロック解除部１７ｂ、固定接点１３，１４、コモン接点１５、傾斜面１７ｃ，１９ｃ、凸部２７ａ，２７ｂ等の図示が省略されているが、それらは、図１〜図３で説明したタクティールスイッチ１1の場合と同様に装備されている。
【００３８】
図５に示すように、変形例のタクティールスイッチ１2は、図３における第１ケース部２1とは形状が異なる第１ケース部２2と、該第１ケース部２2の上部に装着される第２ケース部７と、該第１ケース部２2の下部に装着される第３ケース部３３と、からなるスイッチケースＣ2を備えている。
【００３９】
第１ケース部２2は、図３の第１ケース部２1より同図上下方向に長く形成されており、内部には、台座部１０、円形凹部１０ａ、コモン接点１５、固定接点１３，１４、板バネ４、第１押しボタン５及び第２押しボタン６を第１ケース部２1と同様に備えている。第１ケース部２2では、側面９ｂ，９ｃの凹部２ｃ，２ｃにそれぞれ係合凸部１２が形成されると共に、側面９ｃの凹部２ｃから、矢印Ａ方向と直交する方向（即ち、図４の矢印Ｄ方向）に沿うように接続端子３１ａ，３１ｂ，３１ｃ，３１ｄが突出形成されている。つまり、側面９ｃの凹部２ｃにおける係合凸部１２の両側下部から、図５の左方に突出するように接続端子３１ｂ，３１ｃが設けられ、かつ該接続端子３１ｂ，３１ｃの下方から同方向に突出するように接続端子３１ａ，３１ｄが設けられている。また、第１ケース部２2における側面９ａの開口部２ｂの下側には係合凸部３２が形成されており、同様に、側面９ｄの下側にも不図示の係合凸部が形成されている。
【００４０】
上記接続端子３１ａ〜３１ｄも、タクティールスイッチ１1の場合と同様、接続端子３１ｃ，３１ｄが、コモン接点１５に導通した状態で第１ケース部２2の側部外方に突出形成され、接続端子３１ａが、固定接点１４に導通した状態で第１ケース部２2の側部外方に突出形成され、接続端子３１ｂが、固定接点１３に導通した状態で第１ケース部２2の側部外方に突出形成される。接続端子３１ｃ，３１ｄは、コモン接点１５に導通した状態でモールド成型され、接続端子３１ａは、固定接点１４に導通した状態でモールド成型され、接続端子３１ｂは、固定接点１３に導通した状態でモールド成型される。
【００４１】
また、第３ケース部３３は、第１ケース部２2の下部に密接する矩形状の蓋部３４と、該蓋部３４の一端部及び他端部からそれぞれ上方に突出するように形成された一対の係合部３５，３５と、を有している。この係合部３５，３５には、それぞれ、第１ケース部２2の凹部２ｄ，２ｄに下方から滑り移動して係合凸部３２，３２に係合する係合穴部３５ａ，３５ａが形成されている。蓋部３４における両係合部３５，３５の間には、側面９ｂ側の凹部２ｃに嵌合して段差を埋めるように突出する平板部３６が形成されている。
【００４２】
このような構成のタクティールスイッチ１2にあっても、図４に示す組立て状態にて、図１〜図３で説明したタクティールスイッチ１1と略々同様の機能を発揮する。そして、本タクティールスイッチ１2では、第１ケース部２2が、固定接点１３，１４及びコモン接点１５にそれぞれ導通した状態で該第１ケース部外方に突出する接続端子３１ａ〜３１ｄを有し、第２ケース部７及び第３ケース部３３が、第１ケース部２2がその対応する実装部１８に実装された状態にて該第１ケース部２2と該実装部１８との間からの接続端子３１ａ〜３１ｄの露出を保護するカバー部を構成している。このため、接続端子がスイッチケースから外方に露出するような場合に比して、金属板等を用いて短絡障害を発生させるような不正行為を確実に防止することができる。
【００４３】
また、本タクティールスイッチ１2では、図４に示すように、矢印Ａ方向と直交する矢印Ｄ方向に沿うように接続端子３１ａ〜３１ｄが第１ケース部２2に設けられるので、実装部１８の状況に応じて直立状態に実装できる構造を得ることができる。
【００４４】
ところで、上述した本実施形態及び変形例のタクティールスイッチ１1，１2はいずれも、ボーナス出現確率（つまり出玉率）の設定変更機能を有するスロットマシン（回胴式遊技機）用の設定変更ボタンスイッチとして用いて好適である。このようなスロットマシンでは、全部で６段階の「設定」が用意されており、設定１から設定６に向かうにつれてボーナス出現確率が高く（即ち、出玉率が高く）なる。
【００４５】
すなわち、スロットマシン４０は、図６に示すように、箱状の筐体４１と、筐体４１の左側部に開閉自在に支持された前扉４２と、を有している。筐体４１の内部には、各種制御基板等を設置した制御系設置部４３が上部に設けられ、回胴リール４４ａ，４４ｂ，４４ｃを有するリール装置４４が制御系設置部４３の下方に配置されている。更に筐体４１の内部には、左側から順に、電源部４５、メダルホッパ４６、及びメダル収容箱４７が配置されている。
【００４６】
前扉４２は、上下方向の中間部に、筐体４１側に閉止された状態でリール装置４４を視認可能にするために透明パネルが嵌め込まれた開口部５０を有し、前面の最下部に、メダル受け皿５１を有している。上記メダルホッパ４６は、多数のメダルを収容すると共に、所定の契機でメダル受け皿５１にメダルを放出する。またメダル収容箱４７は、メダルホッパ４６から落下した余剰メダルを収容する。
【００４７】
電源部４５は、上方から下方に向かって電源スイッチ４８、設定スイッチ４９、及び、タクティールスイッチ１1又は１2からなる設定変更ボタンスイッチを有している。例えば、電源スイッチ４８の操作で主電源が投入される前に、設定スイッチ４９の鍵穴にキー（図示せず）が差し込まれて回動操作されると、設定変更ボタンスイッチ（１1又は１2）による設定変更の準備がなされる。
【００４８】
設定変更ボタンスイッチ（１1又は１2）は、前扉４２を開放した際の最も奥側にて、該奥側に第２押しボタン６を向け、かつ第１押しボタン５を前側に向けた状態で実装されている。ここでいう電源部４５の前面部が、前述した実装部１８に相当する。この設定変更ボタンスイッチ（１1又は１2）を操作する場合、遊技店の係員が片手の２本の指を使い、親指で第２押しボタン６を押し込みつつ第１押しボタン５を人差し指で押し込むこと等により、設定を変更してボーナス出現確率を適正に決めることができる。また、設定変更ボタンスイッチ（１1又は１2）が、筐体４１内の最も奥側に配置され、かつ該スイッチ（１1又は１2）の第２押しボタン６が、前扉４２を正規の状態に開放しなければ操作し難い奥側に向いているため、たとえ不正行為者が遊技店係員等に発見されないように前扉４２を僅かに開けた状態で設定変更ボタンスイッチ（１1又は１2）を不正に操作しようとしても、該操作は極めて困難なものとなる。
【００４９】
なお、設定変更ボタンスイッチとしてタクティールスイッチ１2を用いる場合には、電源部４５の前面部に対する実装の向きが変わるが、例えば、図４に示した第１押しボタン５を電源部４５の上方に向けると共に、図４に示した第２押しボタン６を電源部４５の奥側に向けて実装することで、上述した配置が可能になる。
【００５０】
以上説明したように、本実施形態及び変形例におけるタクティールスイッチ１1，１2によると、第２押しボタン６の自由状態にて第１押しボタン５の押圧操作をロックし、かつ第２押しボタン６の矢印Ｂ方向への押圧操作状態にて第１押しボタン５を押圧操作し得るように構成したので、クリック感を得ながら押圧操作し得るタクティールスイッチ１1，１2でありながら、第２押しボタン６を押圧操作してからでなければ第１押しボタン５を操作することができない状況が提供できる。このため、例えば、本タクティールスイッチ１1，１2を設定変更ボタンスイッチとして用いる場合、不正行為者が針金等の治具を用いる等によって当該設定変更ボタンスイッチを不正に操作しようとしても、第２押しボタン６を押圧操作した状態を維持しつつ、これとは操作方向の異なる第１押しボタン５を押圧操作しなければならず、従って、設定変更ボタンスイッチの安易な誤作動を防止し、不正行為の実行を極めて有効に阻止することができる。
【００５１】
すなわち、上述のタクティールスイッチ１1，１2を、ボーナス出現確率の設定を変更する機能を備えたスロットマシン４０用の設定変更ボタンスイッチとして用いる場合、第２押しボタン６を押し込みつつ第１押しボタン５を押圧操作するという段階的操作を実行しなければ設定変更できないので、矢印Ｂ方向と矢印Ａ方向という異なる方向に力を段階的に作用させる操作に起因して、針金等の治具を用いて行うような不正な遠隔操作を極めて困難化することができる。従って、不正発覚を恐れながら手早く作業を行いたい不正行為者にとっての不正行為を有効に抑止することができる。
【００５２】
一方、遊技店の係員がスロットマシン４０の前扉４２を正規の状態に開放して設定を変更する場合には、片手の２本の指を使って、速やかに設定を変更操作することができる。また、従来構造のタクティールスイッチを設定変更ボタンスイッチに適用する場合には、必要に応じてプラスチック等からなる保護カバーを設け該保護カバーをいちいち開けなければ設定を変更できなかったが、本タクティールスイッチ１1，１2によれば、そのような保護カバーの設置を不要にすることが可能である。これにより、遊技店係員による設定変更の操作を、より迅速化させることができる。
【００５３】
更に、上述のタクティールスイッチ１1，１2によれば、操作ロック部１７ａ，１９ａに傾斜面１７ｃ，１９ｃを設けた簡単な構成により、第２押しボタン６を矢印Ｂ方向に操作して第１押しボタン５を押圧操作した後に第２押しボタン６から手を離して開放するだけで、押し潰された可動接片３が復元する際の第１押しボタン５に対する付勢力の有無に拘わらず、該第１押しボタン５を操作前の状態に速やかに復帰させることができる。従って、可動接片３の復元力との合力により、第１押しボタン５の復帰を一層滑らかにすることができる。
【図面の簡単な説明】
【００５４】
【図１】本発明に係る実施形態におけるタクティールスイッチの初期状態を示す側面断面図である。
【図２】本実施形態におけるタクティールスイッチの操作状態を示す側面断面図である。
【図３】本実施形態におけるタクティールスイッチの全体構成を示す分解斜視図である。
【図４】タクティールスイッチの変形例を示す全体斜視図である。
【図５】図４の変形例の全体構成を示す分解斜視図である。
【図６】本実施形態及び変形例のタクティールスイッチを設定変更ボタンスイッチとして用いたスロットマシンを前扉開放状態で示す正面図である。
【符号の説明】
【００５５】
１1，１2    タクティールスイッチ
２1，２2    第１ケース部
３    可動接片
５    第１押しボタン
６    第２押しボタン
７    第２ケース部
１１ａ〜１１ｄ    接続端子
１３，１４    第１接点（固定接点）
１５    第２接点（コモン接点）
１７ａ，１９ａ    操作ロック部
１７ｂ，１９ｂ    ロック解除部
１７ｃ，１９ｃ    傾斜面
１８    実装部
２７ａ，２７ｂ    凸部
３０    カバー部
３１ａ〜３１ｄ    接続端子
３３    第３ケース部
４０    回胴式遊技機（スロットマシン）
Ｃ1，Ｃ2    スイッチケース
【図１】
2007220345.tif 000003
【図２】
2007220345.tif 000004
【図３】
2007220345.tif 000005
【図４】
2007220345.tif 000006
【図５】
2007220345.tif 000007
【図６】
2007220345.tif 000008